(57)【要約】      （修正有）【課題】アルミ製防虫網戸は夏季使用のみで、冬季は窓枠に設置され放置状態である、冬季に網戸の有効利用をする事で、屋外気温の低下影響を軽減し、室内暖房光熱費の軽減を図る為に網戸網面へ断熱の固定をする為、磁石による磁力吸着式の脱着可能型固定具を提供する。【解決手段】アルミ製防虫網戸網面と同形状のプラダンを網面内側（室内側）に装着するが四角形の３辺枠縁部のプラダン捕捉固定具７は縁辺部へ直接接着し、残りの１辺枠縁部はプラダン装着時同断熱材の挿入辺となるが挿入に際し障害個所を作らない為、予め枠縁部へ磁石付固定具８の磁力吸着用帯状鋼板を固着し磁力吸着式の脱着可能型固定具である。一般家屋で使用中のアルミ製防虫網戸の厚さは約１２ｍｍ前後で枠縁部は約６〜７ｍｍが主流でありプラダン４ｍｍ厚、装着に問題は生じない。【選択図】図５
0003156110.tif 000002
【実用新案登録請求の範囲】
【請求項１】
プラダンをアルミ製網戸の網面へ嵌め込み固定する為の、プラスチック製Ｌ形アングルに帯状磁石を固着した固定具と、同固定具を磁力吸着固定する為に網戸枠縁へ予め接着した帯状鋼板とで構成する脱着可能型の考案固定具とコの字形プラスチック製ジョイナー捕捉固定具との併用から成る、プラダン固定具。
【請求項２】
プラダン装着時の枠縁部４辺全ての固定具を帯状磁石付プラスチック製Ｌ形アングルと同磁石吸着用帯状鋼板とで構成する脱着可能型の考案固定具のみとし、プラダン撤去期間中（冬季以外の季節）は網戸枠縁辺に突起個所が残置しないプラダン固定具。
【考案の詳細な説明】
【技術分野】
【０００１】  本考案の固定具はアルミ製防虫網面室内側網面に断熱保温材を嵌め込み、冬季の屋外低下温を遮断し保温効果を高め、暖房用熱エネルギーの軽減を目的とし、夏季のみ使用する防虫網戸を冬季も断熱保温を目的として有効利用する為に考案した物である。
【背景技術】
【０００２】  これ迄防虫網戸は夏季のみ利用しその他の季節は窓枠に設置されたままの、放置状態であるが、窓面積の半分を占める防虫網戸の活用で暖房熱エネルギーの消費削減が可能であることから、本考案に至った、現時点において防虫網戸の利用による室内保温を目的として考案された物は実在しない為  下記特許文献を比較対象とした。
【先行技術文献】
【特許文献】
【０００３】
【特許文献１】  特開２００８−３０２５６８
【特許文献２】  特開２００４−３１６３１９
【考案の概要】
【考案が解決しようとする課題】
【０００４】  上記特許文献１の断熱シートは太陽照射光から赤外線吸収しガラス及びシート内空気層を温め暖房効率向上を目的としているが照射光が強くなる迄には、剥ぎ取り必須の物で有る、特許文献２は水貼り可能を主眼にした物で貼る面の適否表にも、型板ガラス凹凸面・網入りガラス平滑面と凹凸面・くもりガラス凹凸面・複層ガラス凹凸面・熱線吸収合わせガラス・有機ガラス等多種類の使用禁止ガラスが有り、尚且つ透明度も低下する為窓越しの視界も悪く、紫外線・熱の影響でシート貼り付の密着性も低下する為１年を目安の張り替えを薦める文言表示も有り、冬季を過ぎると剥ぎ取りが必要となる。毎年張付け剥ぎ取りを繰り返す事になり、シートの材質面からも複数年の使用は不可能であり費用対効果での採算性は非常に悪く、又その他の方法として内窓付けの二重方式も有るが高価であり、賃貨家屋では借方が賃貸契約上容易に設置できない欠点がある。
【課題を解決する為の手段】
【０００５】  前記の多くの欠点を解消する為に防虫網戸が設置された家屋であれば、冬季利用をする事ができる断熱空気層を有する断熱材（商標）プラダンを網面枠室内側に嵌め込む
尚プラダンはカッターナイフ等で簡単に切断加工が可能であり、プラダンの網面装着により断熱保温及び屋外騒音の遮音効果もあり、本考案固定具により脱着も容易で、夏季は防虫網戸として使用し、冬季は断熱空気層を有する断熱材を装着し、室内保温を目的として活用し、防虫網戸の有効利用により暖房熱エネルギー消費の軽減が可能である。
【０００６】  窓には１枚ガラス戸の２枚戸装着型と４枚戸装着型が有り、上下２枚ガラスの掃き出し戸も、２枚戸装着型或いは４枚戸装着型が主流である為、窓用１枚ガラス戸にはプラダン１枚を網戸枠立辺側から同網面内側に（図１）で示す１枚ガラス窓用防虫網戸正面図の斜線入り矢印方向に向けて挿入し、網面枠内に嵌め込む。
【０００７】  上下２枚ガラスの掃き出し戸用網戸の場合は上下ガラスの中間に中桟があり、防虫網戸にも同様の中桟が設けられている、従ってプラダンは上下仕切の中桟上辺から（図２）で示す、掃き出し戸用防虫網戸正面図の斜線入り矢印上方向へ向け上面用プラダンを挿入後、下面用も中桟下辺から挿入し上下の網面枠内に嵌め込む。窓用及び掃き出し戸用の２種類は窓枠に網戸設置のままの状態でプラダンの脱着作業が安全且つ容易にできる。
【０００８】  前記２種類の網戸にはガラス面と同型の四角形プラダン１１を嵌め込む為各辺縁４辺にはプラダンのずれや脱落防止の為の固定具が必要である、枠辺４辺の内３辺にはプラダン保持を目的とする為、網戸（網面）枠内側縁には（図３）の斜視図コの字型プラスチック製ジョイナー７捕捉固定具を網戸枠縁へ接着固定する。
【０００９】  挿入辺の固定具はプラダン挿入及び撤去時の障害にならないよう、プラダンの着脱を容易にする為、脱着が可能な磁力吸着方式とした、同挿入辺でのプラダン１１固定は（図４）斜視図帯状磁石９付きプラスチック製Ｌ形アングル８で固定する。
【００１０】  尚各網戸のプラダン挿入辺には磁石付固定具は磁石吸着用帯鋼板１０を各々２ヶ所に予め接着固定して置き、他の３辺縁（プラダン挿入辺以外）の捕捉固定具はコの字型プラスチック製ジョイナー７で各々の辺、室内側縁各２ヶ所に接着固定する。
【００１１】  冬季以外の時、捕捉固定具７の残置が目障りの場合はプラダン１１の４辺全てを帯状磁石付プラスチック製Ｌ形アングル固定具と吸着用帯鋼板から成る固定も可能である。
【００１２】  固定具プラスチック製Ｌ形アングル８と帯状磁石９は接着剤で固着し、コの字型プラスチック製ジョイナー７の網戸枠縁への接着・帯状磁石吸着用帯鋼板１０の網戸枠縁への接着は全天候型発泡ブチルゴムシート強力両面テープ５ｍｍ幅又は同等の耐候性能を有する両面テープを使用する。
【考案の効果】
【００１３】  （図５）冬季不要の防虫網戸の利用により、光熱費の軽減に寄与でき、屋外騒音の遮音効果も期待でき、防虫網戸設置窓なら容易にガラスの種類に因る制約も無く冬季のガラス面の結露も防ぎ、冬の朝網戸を開けると屋外視界も開け、冬季以外の季節にはブラダン１１を簡単に抜き取り撤去でき、保管場所もブラダン１枚４ｍｍ厚のため、箪笥裏等の狭い隙間への保管も可能である。又賃貸家屋での設置も脱着可能な為に、賃貸契約面での問題発生も無く、又長期間の使用にも対応でき安価での提供が可能である。
【図面の簡単な説明】
【００１４】
【図１】１枚ガラス戸用網戸縦枠辺側からのプラダン挿入中の正面図
【図２】２枚ガラス掃き出し戸用網戸中桟上辺側から上面用プラダン挿入中の正面図
【図３】符号７捕捉固定具の横枠縁接着斜視図
【図４】符号８と符号９固着の固定具と中桟縁接着の符号１０の斜視図
【図５】上下２枚ガラス掃き出し戸用網戸へのプラダン装着完了正面図
【符号の説明】
【００１５】１    防虫網面
２    プラダン挿入辺
３    網戸立枠
４    網戸横枠
５    掃き出し戸用防虫網戸枠中桟
６    斜線入り矢印プラダン挿入方向
７    プラスチック製コの字形ジョイナー捕捉固定具（枠縁接着辺幅約６ｍｍ）
８    プラスチック製Ｌ形アングル固定具（枠縁接着辺幅約６ｍｍ）
９    帯状磁石（幅約５〜６ｍｍ厚さ約２ミリ）
１０  帯状磁石吸着用枠縁接着の帯鋼板（厚さ約０．５ｍｍ幅５〜６ｍｍ）
１１  プラダン４ｍｍ厚
１２  挿入辺磁石付Ｌ形アングル固定具個所のプラダン切り込み部
【図１】
0003156110.tif 000003
【図２】
0003156110.tif 000004
【図３】
0003156110.tif 000005
【図４】
0003156110.tif 000006
【図５】
0003156110.tif 000007